(57)【要約】  本出願は、情報転送方法及びデバイス、記憶媒体、電子デバイスを提供し、この方法は、長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信することを含み、第１ＴＴＩは、第１転送手段をサポートし、第２ＴＴＩは、第２転送手段と第３転送手段とをサポートし、第２ＴＴＩの転送手段は、第１ＴＴＩの転送手段に対応する。【選択図】図２
2021519034.tif 000002
【特許請求の範囲】
【請求項１】
長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信することを含み、
前記第１ＴＴＩは、第１転送手段をサポートし、前記第２ＴＴＩは、第２転送手段及び第３転送手段をサポートし、前記第２ＴＴＩの転送手段は、前記第１ＴＴＩの転送手段に対応する、
情報転送方法。
【請求項２】
前記第２ＴＴＩの転送手段が前記第１ＴＴＩの転送手段に対応することは、
前記第２転送手段は前記第１転送手段に対応することと、
前記第３転送手段は前記第１転送手段に対応することと、
（ｉ）前記第２転送手段及び前記第３転送手段は（ｉｉ）前記第１転送手段に対応することと、
のいずれかを含む、
請求項１に記載の方法。
【請求項３】
前記第１ＴＴＩは、サブスロットと、スロットと、ミニスロットとのいずれかを含み、
前記第２ＴＴＩは、サブフレームと、スロットとのいずれかを含む、
請求項１に記載の方法。
【請求項４】
前記第２ＴＴＩの転送手段が前記第１ＴＴＩの転送手段に対応することは、
符号語交換マークが０である場合、前記第２転送手段は前記第１転送手段に対応すること、
前記符号語交換マークが１である場合、前記第３転送手段は前記第１転送手段に対応することと、を含む、
請求項１に記載の方法。
【請求項５】
前記第２ＴＴＩの転送手段が前記第１ＴＴＩの転送手段に対応することは、
前記第１ＴＴＩのプロセス番号がＭである場合、前記第２転送手段は、前記第１転送手段に対応し、Ｍは、０≦Ｍ≦７を満たすことと、
前記第１ＴＴＩのプロセス番号がＮである場合、前記第３転送手段は、前記第１転送手段に対応し、Ｍは、８≦Ｎ≦１５を満たすことと、を含む、
請求項１に記載の方法。
【請求項６】
時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートすることを含む、
情報転送方法。
【請求項７】
時分割復信ＴＤＤシステムの上りリンク・下りリンクサブフレームに０及び６が配置され、ユーザー装置ＵＥに配置された転送時間間隔ＴＴＩがスロットである場合、前記ＵＥの全ての下りリンクサブフレーム及びスペシャルサブフレームは、いずれも、複数の異なるスロットにおける物理上りリンク共用チャネルＰＵＳＣＨのスケジューリングをサポートすることを含む、
情報転送方法。
【請求項８】
長さが第１転送時間間隔ＴＴＩの物理下りリンク共用チャネルＰＤＳＣＨトラフィックの受信がエラーした後に、長さが第２ＴＴＩの前記ＰＤＳＣＨトラフィックを受信するように構成されている転送モジュールを含み、
前記第１ＴＴＩは、第１転送手段をサポートし、前記第２ＴＴＩは、第２転送手段と、第３転送手段とをサポートし、前記第２ＴＴＩの転送手段は、前記第１ＴＴＩの転送手段に対応する、
情報転送デバイス。
【請求項９】
時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートするように構成されている配置モジュールを含む、
情報転送デバイス。
【請求項１０】
時分割復信ＴＤＤシステムの上りリンク・下りリンクサブフレームに０及び６が配置され、ユーザー装置ＵＥに配置された転送時間間隔ＴＴＩがスロットである場合、前記ＵＥの全ての下りリンクサブフレーム及びスペシャルサブフレームは、いずれも、複数の異なるスロットにおける物理上りリンク共用チャネルＰＵＳＣＨのスケジューリングをサポートするように構成されている配置モジュールを含む、
情報転送デバイス。
【請求項１１】
コンピュータプログラムが記憶される記憶媒体であって、前記コンピュータプログラムは、ランニングされると、請求項１〜７のいずれか１項に記載の方法を実行するように構成されている、記憶媒体。
【請求項１２】
メモリと、プロセッサとを含み、前記メモリにコンピュータプログラムが記憶され、前記プロセッサは、前記コンピュータプログラムをランニングして、請求項１〜７のいずれか１項に記載の方法を実行するように構成されている、電子デバイス。
【発明の詳細な説明】
【技術分野】
【０００１】
本出願は、２０１８年４月１８日に中国特許局に出願された中国特許出願番号２０１８１０３５０９８３．Ｘに基づく優先権を主張するものであり、その出願におけるすべての内容は引用により本出願に組み込まれる。
【０００２】
本出願は、通信分野に関し、例えば、情報転送方法及びデバイス、記憶媒体、電子デバイスに関する。
【背景技術】
【０００３】
近年、第４世代移動通信技術（ｔｈｅ  ４ｔｈ  Ｇｅｎｅｒａｔｉｏｎ  ｍｏｂｉｌｅｃｏｍｍｕｎｉｃａｔｉｏｎ  ｔｅｃｈｎｏｌｏｇｙ，４Ｇ）、ＬＴＥ（Ｌｏｎｇ−Ｔｅｒｍ  Ｅｖｏｌｕｔｉｏｎ）やＬＴＥ−Ａ（Ｌｏｎｇ−Ｔｅｒｍ  Ｅｖｏｌｕｔｉｏｎ  Ａｄｖａｎｃｅ，ＬＴＥ−Ａｄｖａｎｃｅ／ＬＴＥ−Ａ）と第５世代移動通信技術（ｔｈｅ  ５ｔｈ  Ｇｅｎｅｒａｔｉｏｎ  ｍｏｂｉｌｅｃｏｍｍｕｎｉｃａｔｉｏｎ  ｔｅｃｈｎｏｌｏｇｙ，５Ｇ）が直面する需要はますます多くなる。現在の発展傾向から見ると、４Ｇシステムと５Ｇシステムの両方は、ｅＭＢＢ（ｅｎｈａｎｃｅｄ  Ｍｏｂｉｌｅ  Ｂｒｏａｄｂａｎｄ、拡張移動広帯域）、超高信頼性、超低遅延転送、及び大規模な接続（ｍａｓｓｉｖｅ  ｃｏｎｎｅｃｔｉｏｎｓ））という特徴へのサポートを研究している。
【０００４】
関連技術では、異なる転送時間間隔を有するトラフィックがプロセス共用を許可する時に、かつ比較的に短い転送時間間隔を有するトラフィックが最大１つのトランスポートブロック／符号語をサポートし、比較的に長い転送時間間隔を有するトラフィックが最大２つのトランスポートブロック／符号語をサポートするが、関連技術では、２つのトランスポートブロックのうち、どちらが切り替え前に転送時間間隔の短いトラフィックがサポートする１つのトランスポートブロックに対応するかは特定することができない。
関連技術に存在する上記の問題点に対して、現在は有効な解決策が見出されていない。
【発明の概要】
【０００５】
本出願の実施例は、情報転送方法及びデバイス、記憶媒体、電子デバイスを提供する。
本出願の一実施例によれば、長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信することを含み、前記第１ＴＴＩは、第１転送手段をサポートし、前記第２ＴＴＩは、第２転送手段及び第３転送手段をサポートし、前記第２ＴＴＩの転送手段は、前記第１ＴＴＩの転送手段に対応する、情報転送方法が提供されている。
【０００６】
本出願の一実施例によれば、時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートすることを含む、情報転送方法が提供されている。
【０００７】
本出願の一実施例によれば、時分割復信ＴＤＤシステムの上りリンク・下りリンクサブフレームに０及び６が配置され、ユーザー装置ＵＥに配置された転送時間間隔ＴＴＩがスロットである場合、前記ＵＥの全ての下りリンクサブフレーム及びスペシャルサブフレームは、いずれも、複数の異なるスロットにおける物理上りリンク共用チャネルＰＵＳＣＨのスケジューリングをサポートすることを含む、情報転送方法が提供されている。
【０００８】
本出願の他の実施例によれば、長さが第１転送時間間隔ＴＴＩの物理下りリンク共用チャネルＰＤＳＣＨトラフィックの受信がエラーした後に、長さが第２ＴＴＩの前記ＰＤＳＣＨトラフィックを受信するように構成されている転送モジュールを含み、前記第１ＴＴＩは、第１転送手段をサポートし、前記第２ＴＴＩは、第２転送手段と、第３転送手段とをサポートし、前記第２ＴＴＩの転送手段は、前記第１ＴＴＩの転送手段に対応する、情報転送デバイスが提供されている。
【０００９】
本出願の他の実施例によれば、時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートするように構成されている配置モジュールを含む、情報転送デバイスが提供されている。
【００１０】
本出願の他の実施例によれば、時分割復信ＴＤＤシステムの上りリンク・下りリンクサブフレームに０及び６が配置され、ユーザー装置ＵＥに配置された転送時間間隔ＴＴＩがスロットである場合、前記ＵＥの全ての下りリンクサブフレーム及びスペシャルサブフレームは、いずれも、複数の異なるスロットにおける物理上りリンク共用チャネルＰＵＳＣＨのスケジューリングをサポートするように構成されている配置モジュールを含む、情報転送デバイスが提供されている。
【００１１】
本出願のさらに他の実施例によれば、コンピュータプログラムが記憶される記憶媒体であって、前記コンピュータプログラムは、ランニングされると、上記のいずれか１項の方法実施例におけるステップを実行するように構成されている、記憶媒体がさらに提供されている。
【００１２】
本出願のさらに他の実施例によれば、メモリと、プロセッサとを含み、前記メモリにコンピュータプログラムが記憶され、前記プロセッサは、前記コンピュータプログラムをランニングして、上記のいずれか１項の方法実施例におけるステップを実行するように構成されている、電子デバイスが提供されている。
【図面の簡単な説明】
【００１３】
ここで説明する図面は、本出願のさらなる理解を提供するために使用され、本出願の一部を構成するものであり、本出願の例示的な実施例及びその説明は、本出願を解釈するためのものであり、本出願に対して不当な限定を構成するものではない。
【００１４】
【図１】図１は、本出願の実施例に係る情報転送方法の移動端末のハードウェア構成ブロック図である。
【図２】図２は、本出願の実施例による情報転送方法のフローチャートである。
【図３】図３は、本出願の実施例による情報転送デバイスの構成ブロック図である。
【発明を実施するための形態】
【００１５】
以下、本出願について、図面を参照しながら実施例と合わせて詳細に説明する。
なお、本出願の明細書、特許請求の範囲、及び上記の図面における「第１」、「第２」等の用語は、類似する対象を区別するためものであり、必ずしも特定の順序又は優先順位を説明するためのものではない。
【００１６】
実施例１
本出願の実施例１に係る方法実施例は、移動端末、コンピュータ端末、又は類似する演算デバイスに実行されることができる。移動端末でのランニングを例として、図１は、本出願の実施例に係る情報転送方法の移動端末のハードウェア構成ブロック図である。図１に示すように、移動端末１０は、１つまたは複数のプロセッサ１０２（図１には１つしか示されていない）１０２（プロセッサ１０２は、マイクロコントローラーユニット（Ｍｉｃｒｏｃｏｎｔｒｏｌｌｅｒ  Ｕｎｉｔ，ＭＣＵ）またはプログラマブル論理デバイス（Ｆｉｅｌｄ  Ｐｒｏｇｒａｍｍａｂｌｅ  Ｇａｔｅ  Ａｒａｙ，ＦＰＧＡ）などの処理デバイスが挙げられることができるが、これらに限定されない）と、データを記憶するためのメモリ１０４とを含むことができる。一実施例においては、上述した移動端末は、通信機能のための転送装置１０６及び入出力装置１０８をさらに含むことができる。当業者であれば、図１に示す構成は概略的なものであり、上述した移動端末の構造に限定されないことが理解できる。例えば、移動端末１０は、図１に示すものよりも多くまたは少ないコンポーネントを含んでもよく、または図１に示すものとは異なる構成を備えてもよい。
【００１７】
メモリ１０４は、例えば、アプリケーションソフトウェアのソフトウェアプログラム及びモジュールなどのコンピュータプログラムを記憶するように構成されることができ、本出願の実施例における情報転送方法に対応するコンピュータプログラムのように、プロセッサ１０２がメモリ１０４に格納されたコンピュータプログラムをランニングすることにより、各種の機能アプリケーション及びデータ処理を実行することができ、即ち上述した方法を実現する。メモリ１０４は、高速ランダムメモリを含むことができ、また、不揮発性メモリを含むことができ、例えば１つまたは複数の磁気記憶デバイス、フラッシュ、または他の不揮発性固体メモリを含むことができる。いくつかの実施例では、メモリ１０４は、プロセッサ１０２に対して遠隔的に設置されたメモリをさらに含むことができ、これらのリモートメモリは、ネットワークを介して移動端末１０に接続されることができる。上記したネットワークの実例は、インターネット、イントラネット、ローカルネットワーク、モバイル通信ネットワーク及びそれらの組み合わせが挙げられることができるが、これらに限定されない。
【００１８】
転送装置１０６は、１つのネットワークを介してデータを受送信するように構成されている。上記したネットワークの具体例としては、移動端末１０の通信プロバイダが提供する無線ネットワークが挙げられることができる。一実例では、転送装置１０６は、基地局を介して他のネットワーク装置と接続され、インターネットと通信することができるネットワークインターフェースコントローラー（Ｎｅｔｗｏｒｋ  Ｉｎｔｅｒｆａｃｅ  Ｃｏｎｔｒｏｌｌｅｒ、ＮＩＣ）を含む。一実例では、転送装置１０６は、無線でインターネットと通信する高周波（Ｒａｄｉｏ  Ｆｒｅｑｕｅｎｃｙ，ＲＦ）モジュールであってもよい。
【００１９】
本実施例では、前記移動端末にランニングする情報転送方法が提供され、図２は、本出願の実施例による情報転送方法のフローチャートであり、図２に示すように、当該フローは次のステップＳ２０２を含む。
【００２０】
ステップＳ２０２において、長さが第１転送時間間隔（Ｔｒａｎｓｍｉｓｓｉｏｎ  Ｔｉｍｅ  Ｉｎｔｅｒｖａｌ，ＴＴＩ）の物理下りリンク共用チャネル（Ｐｈｙｓｉｃａｌ  Ｄｏｗｎｌｉｎｋ  Ｓｈａｒｅｄ  Ｃｈａｎｎｅｌ，ＰＤＳＣＨ）トラフィックの受信がエラーした後に、長さが第２ＴＴＩの前記ＰＤＳＣＨトラフィックを受信する。
【００２１】
ただし、前記第１ＴＴＩは、第１転送手段をサポートし、前記第２ＴＴＩは、第２転送手段と、第３転送手段とをサポートし、前記第２ＴＴＩの転送手段は、前記第１ＴＴＩの転送手段に対応する。
【００２２】
前記ステップによって、再送された２つの転送手段と、ＴＴＩ長を切り替える前の転送手段との予め定義された対応関係を特定することにより、基地局と端末側との曖昧性のない転送を実現でき、両方とも同一のプロセスの再送ＴＢと初送ＴＢとの対応関係を正確に特定できることを確保し、ＨＡＲＱ（Ｈｙｂｒｉｄ  Ａｕｔｏｍａｔｉｃ  Ｒｅｐｅａｔ  ｒｅＱｕｅｓｔ，ハイブリッド自動再送要求）コンバイニングの正確性を保証し、関連技術における再送に時間間隔が切り替えされた後にトランスポートブロックを特定できない欠陥を克服する。
【００２３】
一実施例においては、前記ステップの実行主体は、端末であってもよいし、携帯電話等のユーザー装置（Ｕｓｅｒ  Ｅｑｕｉｐｍｅｎｔ，ＵＥ）であってもよいが、これに限られない。
【００２４】
本実施例においては、第１転送時間間隔の時間長は、第２転送時間間隔よりも短く、転送手段（例えば、第１転送手段、第２転送手段、及び第３転送手段）は、トランスポートブロック（Ｔｒａｎｓｐｏｒｔ  Ｂｌｏｃｋ，ＴＢ）または符号語であってもよく、対応する可能が４つある：第１トランスポートブロックと第２／第３トランスポートブロックとが対応することと、第１符号語と第２／第３符号語とが対応することと、第１トランスポートブロックと第２／第３符号語とが対応することと、第１符号語と第２／第３トランスポートブロックとが対応することと、４つの可能なケースがある。
【００２５】
一実施例においては、前記第２ＴＴＩの転送手段と前記第１ＴＴＩの転送手段との対応関係は予め定義されるように設定されることができる。
【００２６】
一実施例においては、本実施例が適用される通信システムは、複数の種類の通信システムを含み、４Ｇ又は５Ｇシステムに限定されるものではない。４Ｇ  ＬＴＥシステムを例にとれば、比較的に短い転送時間間隔（第１ＴＴＩ）は、ショート転送時間間隔、あるいはショートＴＴＩであり、ＴＴＩ長さはサブスロット（ｓｕｂｓｌｏｔ）又はスロット（ｓｌｏｔ）であり、比較的に長い転送時間間隔（第２ＴＴＩ）は、サブフレーム（ｓｕｂｆｒａｍｅ）であり、ＴＴＩ長さは１ｍｓである。５Ｇ  ＮＲシステムを例にとれば、比較的に短い転送時間間隔は、ミニスロット（ｍｉｎｉ−ｓｌｏｔ）であり、あるいはＴＩ長さは２つや４つや７つのＯＦＤＭシンボルであり、比較的に長い転送時間間隔は、スロットであり、あるいはＴＴＩ長さは１４個ＯＦＤＭシンボル（ｎｏｒｍａｌ  ＣＰ）である。以下の実施例は、４Ｇシステムから例を挙げて説明するが、４Ｇシステムに限定されるものではない。同じ転送時間間隔については、初送は１つのＴＢのみをサポートするが、再送は２つのＴＢをサポートする場合にも適用可能である。前記第１ＴＴＩは、サブスロットと、スロットと、ミニスロットとのいずれかを含み、前記第２ＴＴＩは、サブフレームと、スロットとのいずれかを含む。第１ＴＴＩにおけるサブスロットは、２／３ＯＳを含むＴＴＩであり、スロットは０．５ｍｓで７つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）を含み、ミニスロットは、２つや４つや７つのＯＦＤＭシンボルを含み、第２ＴＴＩにおけるサブフレームは、１ｍｓで１４個のＯＦＤＭシンボルを含み、スロットは、１ｍｓで１４個のＯＦＤＭシンボルを含む。
【００２７】
一実施例においては、前記第２ＴＴＩの転送手段は前記第１ＴＴＩの転送手段に対応することは、
前記第２転送手段は、前記第１転送手段に対応することと、
前記第３転送手段は、前記第１転送手段に対応することと、
前記第２転送手段と前記第３転送手段は、前記第１転送手段に対応することと、
前記第２転送手段は、符号語交換マークが０である場合には、前記第１転送手段に対応することと、
前記第３転送手段は、前記符号語交換マークが１である場合には、前記第１転送手段に対応することと、
前記第１ＴＴＩのプロセス番号がＭである場合、前記第２転送手段は、前記第１転送手段に対応し、０≦Ｍ≦７を満たすことと、
前記第１ＴＴＩのプロセス番号がＮの場合、前記第３転送手段は前記第１転送手段に対応し、ただし、８≦Ｎ≦１５を満たすことと、を含むが、これらの状況に限定されるものではない。
【００２８】
本実施例において、前記移動端末にランニングされる他の情報転送方法が提供されて、この方法は、時分割復信ＴＤＤ（Ｔｉｍｅ  Ｄｉｖｉｓｉｏｎ  Ｄｕｐｌｅｘｉｎｇ）システムの上りリンク・下りリンクサブフレームに６が配置され、かつスペシャルサブフレームに１０が配置され、ユーザー装置ＵＥは、短い処理遅延時間が配置され、かつ転送時間間隔ＴＴＩの長さが１サブフレームである場合、ＵＥの全ての下りリンクサブフレーム及びスペシャルサブフレームは、いずれも、最大２つの異なるサブフレームにおける物理上りリンク共用チャネルＰＵＳＣＨ（Ｐｈｙｓｉｃａｌ  Ｕｐｌｉｎｋ  Ｓｈａｒｅｄ  Ｃｈａｎｎｅｌ）のスケジューリングをサポートすることを含む。
【００２９】
本実施例において、前記移動端末にランニングされる他の情報転送方法が提供されて、この方法は、時分割復信ＴＤＤシステムの上りリンク・下りリンクサブフレームに０及び６が配置され、ユーザー装置ＵＥに配置された転送時間間隔ＴＴＩがスロットである場合、ＵＥの全ての下りリンクサブフレーム及びスペシャルサブフレームは、いずれも、複数の異なるスロットにおける物理上りリンク共用チャネルＰＵＳＣＨのスケジューリングをサポートすることを含む。
【００３０】
以上の実施例の説明により、上述した実施例に係る方法がソフトウェアと必要な汎用ハードウェアプラットフォームを介して実現され得ることは、当業者には明らかであるが、もちろん、ハードウェアによってもよいが、前者がより好ましい実施形態である場合が多い。このような理解に基づいて、本出願の技術的解決手段は本質的に又は関連技術に寄与する部分がソフトウェア製品として具現化され、当該コンピュータソフトウェア製品は記憶媒体（例えば、ＲＯＭやＲＡＭ、磁気ディスク、光ディスク）に記憶され、端末デバイス（携帯電話、コンピュータ、サーバ、またはネットワーク装置などであってもよい）に本出願の様々な実施例に記載の方法を実行させるための命令を含む。
【００３１】
実施例２
本実施例において、情報転送デバイスが提供されて、このデバイスは、上述した実施例及び好ましい実施形態を実現するためのものであり、既に説明した内容は繰り返して説明しない。以下で使用されるように、「モジュール」という用語は、所定の機能のソフトウェア及びハードウェアの少なくとも一方の組み合わせを実現し得る。以下の実施例で説明されるデバイスは、好ましくはソフトウェアで実現されるが、ハードウェア、またはソフトウェアとハードウェアの組み合わせの実現も可能であり、考えられる。
【００３２】
図３は、本出願の実施例による情報転送デバイスの構成ブロック図であり、図３に示すように、当該デバイスは転送モジュール３０を含む。
【００３３】
転送モジュール３０は、長さが第１転送時間間隔ＴＴＩの物理下りリンク共用チャネルＰＤＳＣＨトラフィックの受信がエラーした後に、長さが第２ＴＴＩの前記ＰＤＳＣＨトラフィックを受信するように構成されており、前記第１ＴＴＩは、第１転送手段をサポートし、前記第２ＴＴＩは、第２転送手段と、第３転送手段とをサポートし、前記第２ＴＴＩの転送手段は、前記第１ＴＴＩの転送手段に対応する。
【００３４】
本実施例は他の情報転送デバイスが提供されて、このデバイスは、時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートするように構成されている配置モジュールを含む。
【００３５】
本実施例は他の情報転送デバイスがさらに提供されて、このデバイスは、時分割復信ＴＤＤシステムの上りリンク・下りリンクサブフレームに０及び６が配置され、ユーザー装置ＵＥに配置された転送時間間隔ＴＴＩがスロットである場合、ＵＥの全ての下りリンクサブフレーム及びスペシャルサブフレームは、いずれも、複数の異なるスロットにおける物理上りリンク共用チャネルＰＵＳＣＨのスケジューリングをサポートするように構成されている配置モジュールを含む。
【００３６】
なお、上述した各モジュールは、ソフトウェアまたはハードウェアによって実現することが可能であり、後者の場合、上述したモジュールは全て同じプロセッサ内に配置され、または前記した各モジュールは、任意の組み合わせでそれぞれ異なるプロセッサに位置するように実現してもよいが、これらに限定されるものではない。
【００３７】
実施例３
通信システムには異なる転送時間間隔を有するトラフィックがプロセス共用を許可する時に、かつ比較的に短い転送時間間隔を有するトラフィックが最大で１つのトランスポートブロック／符号語をサポートし、比較的に長い転送時間間隔を有するトラフィックが最大で２つのトランスポートブロック／符号語をサポートし、本実施例は、再送には転送時間間隔が切り替えされた後、どのようにトランスポートブロックを使用するかを特定するという欠点を克服する。
【００３８】
本実施例は、異なるシナリオを結合し、本出願の態様を詳細に説明するための複数の実施形態をさらに含む。
【００３９】
実施形態１
端末がｓｈｏｒｔ  ＴＴＩ  ＰＤＳＣＨを受信することは、サブスロットまたはスロットの転送時間間隔を使用し、プロセス番号がＸであり、Ｘ≧０かつＸは整数であり、最大１つのトランスポートブロックをサポートするＤＣＩ  ｆｏｒｍａｔ、例えば、下りリンク制御情報ＤＣＩ（Ｄｏｗｎｌｉｎｋ  Ｃｏｎｔｒｏｌ  Ｉｎｆｏｒｍａｔｉｏｎ）  ｆｏｒｍａｔ  ７−１Ａ／７−１Ｂ／７−１Ｃ／７−１Ｄ／７−１Ｅ／７−１Ｆ／７−１Ｇのうちの少なくとも１つを使用する。初回転送失敗した後に再送にはＴＴＩ長さを切り替え、１ｍｓ  ＴＴＩを使用し、かつプロセス番号はＸであり、このとき最大２つのトランスポートブロックをサポートし、最大２つのトランスポートブロックをサポートするＤＣＩ  ｆｏｒｍａｔ、たとえばＤＣＩ  ｆｏｒｍａｔ  ２／２Ａ／２Ｂ／２Ｃ／２Ｄのうちの少なくとも１つを使用し、そのうち、ＴＢ１または符号語０は、以前のｓｈｏｒｔ  ＴＴＩ  ＰＤＳＣＨの再送に対応し、かつ新データ指示（Ｎｅｗ  Ｄａｔａ  Ｉｎｄｉｃａｔｉｏｎ，ＮＤＩ）は反転されず、ＴＢ２又は符号語１（あれば）は挿入されるもう一つのトランスポートブロックであり、例えば、もう一つのトランスポートブロックは新しいＴＢである。
【００４０】
本実施形態に記載の情報転送方法によれば、再送される２つのＴＢのうちの唯一ＴＴＩ長さを切り替える前のＴＢとの予め定義された対応関係を特定することにより、基地局と端末側の曖昧性のない転送を実現し、両方とも同一のプロセスの再送ＴＢと初送ＴＢとの対応関係を正確に特定できることを確保し、ハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）コンバイニングの正確性を保証する。
【００４１】
実施形態２
端末がｓｈｏｒｔ  ＴＴＩ  ＰＤＳＣＨを受信することは、サブスロットまたはスロットの転送時間間隔を使用し、プロセス番号がＸであり、Ｘ≧０かつＸは整数であり、最大で１つのトランスポートブロックをサポートするＤＣＩ  ｆｏｒｍａｔ、例えば、ＤＣＩ  ｆｏｒｍａｔ  ７−１Ａ／７−１Ｂ／７−１Ｃ／７−１Ｄ／７−１Ｅ／７−１Ｆ／７−１Ｇのうちの少なくとも１つが使用される。初回転送失敗した後に再送にはＴＴＩ長さを切り替え、１ｍｓ  ＴＴＩを使用し、かつプロセス番号はＸであり、このとき最大２つのトランスポートブロックをサポートし、最大２つのトランスポートブロックをサポートするＤＣＩ  ｆｏｒｍａｔ、たとえばＤＣＩ  ｆｏｒｍａｔ  ２／２Ａ／２Ｂ／２Ｃ／２Ｄの少なくとも１つを使用し、ＴＢ２または符号語１は、以前のｓｈｏｒｔ  ＴＴＩ  ＰＤＳＣＨの再送に対応し、かつＮＤＩは反転されず、ＴＢ１又は符号語０は挿入されるもう一つのトランスポートブロックであり、例えばもう一つのトランスポートブロックは新しいＴＢである。
【００４２】
本実施形態に記載の情報転送方法によれば、再送される２つのＴＢのうちの唯一ＴＴＩ長さを切り替える前のＴＢとの予め定義された対応関係を特定することにより、基地局と端末側の曖昧性のない転送を実現し、両方とも同一のプロセスの再送ＴＢと初送ＴＢとの対応関係を正確に特定できることを確保し、ＨＡＲＱコンバイニングの正確性を保証する。
【００４３】
実施形態３
端末がｓｈｏｒｔ  ＴＴＩ  ＰＤＳＣＨを受信することは、サブスロットまたはスロットの転送時間間隔を使用し、プロセス番号がＸであり、Ｘ≧０かつＸは整数であり、最大１つのトランスポートブロックをサポートするＤＣＩ  ｆｏｒｍａｔ、例えば、ＤＣＩ  ｆｏｒｍａｔ  ７−１Ａ／７−１Ｂ／７−１Ｃ／７−１Ｄ／７−１Ｅ／７−１Ｆ／７−１Ｇのうちの少なくとも１つを使用する。初回転送失敗した後に再送にはＴＴＩ長さを切り替え、１ｍｓ  ＴＴＩを使用し、かつプロセス番号はＸであり、このとき最大２つのトランスポートブロックをサポートし、最大２つのトランスポートブロックをサポートするＤＣＩ  ｆｏｒｍａｔ、たとえばＤＣＩ  ｆｏｒｍａｔ  ２／２Ａ／２Ｂ／２Ｃ／２Ｄのうちの少なくとも１つを使用し、ここで、ＴＢ１とＴＢ２は、２つとも前のｓｈｏｒｔ  ＴＴＩ  ＰＤＳＣＨの再送に対応し、かつＴＢ１とＴＢ２のＮＤＩはいずれも反転しない。一実施例において、ＴＢ１とＴＢ２は異なるＲＶバージョンを使用する。
【００４４】
本実施形態に記載の情報転送方法によれば、再送される２つのＴＢはＴＴＩ長さを切り替える前のＴＢとの予め定義された対応関係を特定することにより、基地局と端末側の曖昧性のない転送を実現し、両方とも同一のプロセスの再送ＴＢと初送ＴＢとの対応関係を正確に特定できることを確保し、ＨＡＲＱコンバイニングの正確性を保証する。
【００４５】
実施形態４
端末がｓｈｏｒｔ  ＴＴＩ  ＰＤＳＣＨを受信することは、サブスロットまたはスロットの転送時間間隔を使用し、プロセス番号がＸであり、０≦Ｘ≦１５かつＸは整数であり、最大で１つのトランスポートブロックをサポートするＤＣＩ  ｆｏｒｍａｔ、例えば、ＤＣＩ  ｆｏｒｍａｔ  ７−１Ａ／７−１Ｂ／７−１Ｃ／７−１Ｄ／７−１Ｅ／７−１Ｆ／７−１Ｇのうちの少なくとも１つを使用する。初回転送失敗した後に再送にはＴＴＩ長さを切り替え、１ｍｓ  ＴＴＩを使用し、このとき最大２つのトランスポートブロックをサポートし、最大２つのトランスポートブロックをサポートするＤＣＩ  ｆｏｒｍａｔ、例えば、ＤＣＩ  ｆｏｒｍａｔ  ２／２Ａ／２Ｂ／２Ｃ／２Ｄの少なくとも１つを使用し、プロセス番号がＸであり、かつ０≦Ｘ≦７の時に、ＴＢ１または符号語０は、以前のｓｈｏｒｔ  ＴＴＩ  ＰＤＳＣＨの再送に対応し、かつＮＤＩは反転されず、プロセス番号はＸ−８かつ８≦Ｘ≦１５の時に、ＴＢ２又は符号語１は以前のｓｈｏｒｔ  ＴＴＩ  ＰＤＳＣＨの再送に対応し、かつＮＤＩが反転しない。一実施例において、もう１つのトランスポートブロックは新ＴＢである。
【００４６】
本実施形態に記載の情報転送方法によれば、再送される２つのＴＢのうちの唯一ＴＴＩ長さを切り替える前のＴＢとの予め定義された対応関係を特定することにより、基地局と端末側の曖昧性のない転送を実現し、両方とも同一のプロセスの再送ＴＢと初送ＴＢとの対応関係を正確に特定できることを確保し、ＨＡＲＱコンバイニングの正確性を保証する。
【００４７】
実施形態５
端末がｓｈｏｒｔ  ＴＴＩ  ＰＤＳＣＨを受信することは、サブスロットまたはスロットの転送時間間隔を使用し、プロセス番号がＸであり、Ｘ≧０かつＸは整数であり、最大で１つのトランスポートブロックをサポートするＤＣＩ  ｆｏｒｍａｔ、例えば、ＤＣＩ  ｆｏｒｍａｔ  ７−１Ａ／７−１Ｂ／７−１Ｃ／７−１Ｄ／７−１Ｅ／７−１Ｆ／７−１Ｇのうちの少なくとも１つを使用する。初回転送失敗した後に再送にはＴＴＩ長さを切り替え、１ｍｓ  ＴＴＩを使用し、かつプロセス番号はＸであり、このとき最大２つのトランスポートブロックをサポートし、最大２つのトランスポートブロックをサポートするＤＣＩ  ｆｏｒｍａｔ、たとえばＤＣＩ  ｆｏｒｍａｔ  ２／２Ａの少なくとも１つを使用し、ただし、ＴＢブロックと符号語のトランスポートフラグ（Ｔｒａｎｓｐｏｒｔ  ｂｌｏｃｋ  ｔｏ  ｃｏｄｅｗｏｒｄ  ｓｗａｐ  ｆｌａｇ）は０である場合、ＴＢ１が符号語０に存在すれば、ＴＢ１は直前のｓｈｏｒｔ  ＴＴＩ  ＰＤＳＣＨの再送に対応しかつＮＤＩが反転しなく、ＴＢ２が（存在すれば）、挿入されるもう一つのトランスポートブロックであり、例えば、もう一つのトランスポートブロックは新ＴＢである。ＴＢブロックと符号語のトランスポートフラグは１である場合、ＴＢ２が符号語０に存在すれば、ＴＢ２は直前のｓｈｏｒｔ  ＴＴＩ  ＰＤＳＣＨの再送に対応し、かつＮＤＩが反転しなく、ＴＢ１は挿入されるもう一つのトランスポートブロックであり、例えば、もう一つのトランスポートブロックは新ＴＢである。本実施形態に記載の情報転送方法によれば、再送される２つのＴＢのうちの唯一ＴＴＩ長さを切り替える前のＴＢとの予め定義された対応関係を特定することにより、基地局と端末側の曖昧性のない転送を実現し、両方とも同一のプロセスの再送ＴＢと初送ＴＢとの対応関係を正確に特定できることを確保し、ＨＡＲＱコンバイニングの正確性を保証する。
【００４８】
実施形態６
ＴＤＤシステムの上りリンク・下りリンクに対して６が配置され、スペシャルサブフレームに１０が配置される時に、ＵＥに短い処理遅延時間（ｓｈｏｒｔ  ｐｒｏｃｅｓｓｉｎｇ  Ｔｉｍｅ）が配置されると、即ち最小ｎ＋３  ＴＴＩ処理遅延時間をサポートし、ＴＴＩは１つのサブフレームであり、全ての下りリンクサブフレームまたはスペシャルサブフレームをＵＬ  ｉｎｄｅｘに導入することをサポートし、２ビットの最上位ビット（ＭｏｓｔＳｉｇｎｉｆｉｃａｎｔ  Ｂｉｔ，ＭＳＢ）と最下位ビット（Ｌｅａｓｔ  Ｓｉｇｎｉｆｉｃａｎｔ  Ｂｉｔ，ＬＳＢ）を介して、スケジュールされたＰＵＳＣＨが位置するサブフレームインデックスをそれぞれ指示する。一実施例において、表１に示すように、サブフレームスケジューリングのそれぞれは、ＵＬ  ｉｎｄｅｘの２ｂｉｔにより斜線の前または後に所定のタイミングのサブフレームにおけるＰＵＳＣＨをそれぞれスケジュールする。サブフレームｎ＝５を例として説明し、ＭＳＢ＝１の時に、サブフレームｎ＋３におけるＰＵＳＣＨ、即ちサブフレーム８におけるＰＵＳＣＨをスケジューリングし、ＬＳＢ＝１の時に、サブフレームｎ＋６におけるＰＵＳＣＨ、即ちサブフレーム１におけるＰＵＳＣＨをスケジューリングする。
【００４９】
表１は、ＴＤＤを６と配置された時及びＳＳＣ（スペシャルサブフレーム配置）を１０と配置された時の、ＰＵＳＣＨのＵＬ／ＤＬ（上りリンク／下りリンク）許可のスケジューリングのタイミングを説明するために用いられる。
【００５０】
【表１】
2021519034.tif 000003
【００５１】
残りの例示的な表は、表２〜５に示されている。
【００５２】
【表２】
2021519034.tif 000004
【００５３】
【表３】
2021519034.tif 000005
【００５４】
【表４】
2021519034.tif 000006
【００５５】
【表５】
2021519034.tif 000007
【００５６】
本実施形態に記載のスケジューリングのタイミングを特定する方法によれば、全ての下りリンクサブフレーム及びスペシャルサブフレームは、いずれも、最大２つの異なるサブフレームにおけるＰＵＳＣＨを柔軟にスケジュールでき、全ての下りリンクサブフレームとスペシャルサブフレームにおいて下りリンク制御のオーバーヘッドのバランスを取る。
【００５７】
実施形態７−１
ＴＤＤシステムの上りリンク・下りリンクに対して０が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれもスケジューリングされることができるようにサポートされるために、ＵＬ  ｉｎｄｅｘが導入され、２ｂｉｔにおけるＭＳＢ及びＬＳＢを介してスケジューリングしたＰＵＳＣＨが位置するスロットインデックスをそれぞれ指示する。一実施例において、表６に示すように、スペシャルサブフレーム配置（Ｓｐｅｃｉａｌ  ｓｕｂｆｒａｍｅ  ｃｏｎｆｉｇｕｒａｔｉｏｎ，ＳＳＣ）が１、２、３、４、６、７、８である場合、次のようにＵＬ  ｉｎｄｅｘにの２ビット情報を設定することでｓｌｏｔ  ＰＵＳＣＨのスケジューリングが実現される。
【００５８】
（ＭＳＢ，ＬＳＢ）＝’０１’である場合、スロットｎは、スロットｎ＋ｋ上のＰＵＳＣＨをスケジューリングし、ただし、ｋの値は表６で示されている。
（ＭＳＢ，ＬＳＢ）＝’１０’である場合、スロットｎは、スロットｎ＋ｋ＋１上のＰＵＳＣＨをスケジューリングし、ただし、ｋの値は表６で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表６で示されている。
【００５９】
【表６】
2021519034.tif 000008
【００６０】
スロットｎ＝２を例として説明すると、
（ＭＳＢ，ＬＳＢ）＝’０１’である場合、スロットｎ＋４におけるＰＵＳＣＨ、即ち、スロット６におけるＰＵＳＣＨをスケジューリングする。
（ＭＳＢ，ＬＳＢ）＝’１０’である場合、スロットｎ＋４＋１におけるＰＵＳＣＨ、即ち、スロット７におけるＰＵＳＣＨをスケジューリングする。
（ＭＳＢ，ＬＳＢ）＝’１１’である場合、スロットｎ＋４におけるＰＵＳＣＨとスロットｎ＋４＋１におけるＰＵＳＣＨ、即ち、スロット６とスロット７におけるＰＵＳＣＨをスケジューリングする。
【００６１】
実施例７−２
ＴＤＤシステムの上りリンク・下りリンクに対して０が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれも、スケジューリングされることができるようにサポートされるために、ＵＬ  ｉｎｄｅｘが導入され、２ｂｉｔにおけるＭＳＢ及びＬＳＢを介してスケジューリングしたＰＵＳＣＨが位置するスロットインデックスをそれぞれ指示する。一実施例において、表７に示すように、スペシャルサブフレーム配置（Ｓｐｅｃｉａｌ  ｓｕｂｆｒａｍｅ  ｃｏｎｆｉｇｕｒａｔｉｏｎ，ＳＳＣ）が０、５、９である場合、次のようにＵＬ  ｉｎｄｅｘにの２ビット情報を設定することでｓｌｏｔ  ＰＵＳＣＨのスケジューリングが実現される。
【００６２】
（ＭＳＢ，ＬＳＢ）＝’０１’である場合、スロットｎは、スロットｎ＋ｋ上のＰＵＳＣＨをスケジューリングし、ただし、ｋの値は表７で示されている。
（ＭＳＢ，ＬＳＢ）＝’１０’である場合、スロットｎは、スロットｎ＋ｋ＋１上のＰＵＳＣＨをスケジューリングし、ただし、ｋの値は表７で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表７で示されている。
【００６３】
【表７】
2021519034.tif 000009
【００６４】
スロットｎ＝１を例として説明すると、
（ＭＳＢ，ＬＳＢ）＝’０１’である場合、スロットｎ＋５におけるＰＵＳＣＨ、即ち、スロット６におけるＰＵＳＣＨをスケジューリングする。
（ＭＳＢ，ＬＳＢ）＝’１０’である場合、スロットｎ＋５＋１におけるＰＵＳＣＨ、即ちスロット７におけるＰＵＳＣＨをスケジューリングする。
（ＭＳＢ，ＬＳＢ）＝’１１’である場合、スロットｎ＋５におけるＰＵＳＣＨとスロットｎ＋５＋１におけるＰＵＳＣＨ、即ち、スロット６とスロット７におけるＰＵＳＣＨをスケジューリングする。
【００６５】
実施例７−３
ＴＤＤシステムの上りリンク・下りリンクに対して０が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれもスケジューリングされることができるようにサポートされるために、ＵＬ  ｉｎｄｅｘが導入され、２ｂｉｔにおけるＭＳＢとＬＳＢを介してスケジューリングしたＰＵＳＣＨが位置するスロットインデックスをそれぞれ指示する。一実施例において、表８に示すように、スペシャルサブフレーム配置が１０である場合、次のようにＵＬ  ｉｎｄｅｘにの２ビット情報を設定することでｓｌｏｔ  ＰＵＳＣＨのスケジューリングが実現される。
【００６６】
スロット２及び１２以外の他のスロットについて、
（ＭＳＢ，ＬＳＢ）＝’０１’である場合、スロットｎは、スロットｎ＋ｋ上のＰＵＳＣＨをスケジューリングし、ただし、ｋの値は表８で示されている。
（ＭＳＢ，ＬＳＢ）＝’１０’である場合、スロットｎは、スロットｎ＋ｋ＋１上のＰＵＳＣＨをスケジューリングし、ただし、ｋの値は表８で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表８で示されている。
【００６７】
スロット２及びスロット１２について、
（ＭＳＢ，ＬＳＢ）＝’０１’である場合、スロットｎは、スロットｎ＋ｋ上のＰＵＳＣＨをスケジューリングし、ただし、ｋの値は表８で示されている。
（ＭＳＢ，ＬＳＢ）＝’１０’である場合、スロットｎは、スロットｎ＋ｋ＋１上のＰＵＳＣＨをスケジューリングし、ただし、ｋの値は表８で示されている。
（ＭＳＢ，ＬＳＢ）＝’１１’である場合、スロットｎは、スロットｎ＋ｋ＋５上のＰＵＳＣＨをスケジューリングし、ただし、ｋの値は表８で示されている。
（ＭＳＢ，ＬＳＢ）＝’００’である場合、スロットｎは、スロットｎ＋ｋ上のとスロットｎ＋ｋ＋１上の及びスロットｎ＋ｋ＋５上のＰＵＳＣＨをスケジューリングし、ただし、ｋの値は表８で示されている。
【００６８】
【表８】
2021519034.tif 000010
【００６９】
スロットｎ＝１を例として説明すると、
（ＭＳＢ，ＬＳＢ）＝’０１’である場合、スロットｎ＋５におけるＰＵＳＣＨ、即ち、スロット６におけるＰＵＳＣＨをスケジューリングする。
（ＭＳＢ，ＬＳＢ）＝’１０’である場合、スロットｎ＋５＋１におけるＰＵＳＣＨ、即ち、スロット７におけるＰＵＳＣＨをスケジューリングする。
（ＭＳＢ，ＬＳＢ）＝’１１’である場合、スロットｎ＋５におけるＰＵＳＣＨとスロットｎ＋５＋１におけるＰＵＳＣＨ、即ち、スロット６とスロット７におけるＰＵＳＣＨをスケジューリングする。
【００７０】
本実施形態に記載のスケジューリングのタイミングを特定する方法によれば、全ての下りリンクサブフレーム及びスペシャルサブフレームは、いずれも、２つまたは複数の異なるスロット内のＰＵＳＣＨを柔軟にスケジュールでき、全ての下りリンクスロットとスペシャルサブフレームにおいて下りリンク制御のオーバーヘッドのバランスを取る。
【００７１】
実施例８−１
ＴＤＤシステムの上りリンク・下りリンクに対して６が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれもスケジューリングされることができるようにサポートされるために、ＵＬ  ｉｎｄｅｘが導入され、２ｂｉｔにおけるＭＳＢとＬＳＢを介してスケジューリングしたＰＵＳＣＨが位置するスロットインデックスをそれぞれ指示する。一実施例において、表９に示すように、スペシャルサブフレーム配置（Ｓｐｅｃｉａｌ  ｓｕｂｆｒａｍｅ  ｃｏｎｆｉｇｕｒａｔｉｏｎ，ＳＳＣ）が１、２、３、４、６、７、８である場合、次のようにＵＬ  ｉｎｄｅｘにの２ビット情報を設定することでｓｌｏｔ  ＰＵＳＣＨのスケジューリングが実現される。
【００７２】
スロット３及び１３以外の他のスロットについて、
（ＭＳＢ，ＬＳＢ）＝’０１’である場合、スロットｎは、スロットｎ＋ｋ上のＰＵＳＣＨをスケジューリングし、ただし、ｋの値は表９で示されている。
（ＭＳＢ，ＬＳＢ）＝’１０’である場合、スロットｎは、スロットｎ＋ｋ＋１上のＰＵＳＣＨをスケジューリングし、ただし、ｋの値は表９で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表９で示されている。
【００７３】
スロット３及びスロット１３について、スロットｎは、スロットｎ＋ｋ上のＰＵＳＣＨをスケジューリングし、ただし、ｋの値は表９で示されている。
【００７４】
【表９】
2021519034.tif 000011
【００７５】
スロットｎ＝２を例として、説明すると、
（ＭＳＢ，ＬＳＢ）＝’０１’である場合、スロットｎ＋６におけるＰＵＳＣＨ、即ち、スロット８におけるＰＵＳＣＨをスケジューリングする。
（ＭＳＢ，ＬＳＢ）＝’１０’である場合、スロットｎ＋６＋１におけるＰＵＳＣＨ、即ち、スロット９におけるＰＵＳＣＨをスケジューリングする。
（ＭＳＢ，ＬＳＢ）＝’１１’である場合、スロットｎ＋６におけるＰＵＳＣＨとスロットｎ＋６＋１におけるＰＵＳＣＨ、即ち、スロット８とスロット９におけるＰＵＳＣＨをスケジューリングする。
【００７６】
実施形態８−２
ＴＤＤシステムの上りリンク・下りリンクに対して６が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれもスケジューリングされることができるようにサポートされるために、ＵＬ  ｉｎｄｅｘが導入され、２ｂｉｔにおけるＭＳＢとＬＳＢを介してスケジューリングしたＰＵＳＣＨが位置するスロットインデックスをそれぞれ指示する。一実施例において、表１０に示すように、スペシャルサブフレーム配置（Ｓｐｅｃｉａｌ  ｓｕｂｆｒａｍｅ  ｃｏｎｆｉｇｕｒａｔｉｏｎ，ＳＳＣ）が０、５、９である場合、次のようにＵＬ  ｉｎｄｅｘにの２ビット情報を設定することでｓｌｏｔ  ＰＵＳＣＨのスケジューリングが実現される。
【００７７】
（ＭＳＢ，ＬＳＢ）＝’０１’である場合、スロットｎは、スロットｎ＋ｋ上のＰＵＳＣＨをスケジューリングし、ただし、ｋの値は表１０で示されている。
（ＭＳＢ，ＬＳＢ）＝’１０’である場合、スロットｎは、スロットｎ＋ｋ＋１上のＰＵＳＣＨをスケジューリングし、ただし、ｋの値は表１０で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表１０で示されている。
【００７８】
【表１０】
2021519034.tif 000012
【００７９】
スロットｎ＝２を例として、説明すると、
（ＭＳＢ，ＬＳＢ）＝’０１’である場合、スロットｎ＋６におけるＰＵＳＣＨ、即ち、スロット８におけるＰＵＳＣＨをスケジューリングする。
（ＭＳＢ，ＬＳＢ）＝’１０’である場合、スロットｎ＋６＋１におけるＰＵＳＣＨ、即ち、スロット９におけるＰＵＳＣＨをスケジューリングする。
（ＭＳＢ，ＬＳＢ）＝’１１’である場合、スロットｎ＋６におけるＰＵＳＣＨとスロットｎ＋６＋１におけるＰＵＳＣＨ、即ち、スロット８とスロット９におけるＰＵＳＣＨをスケジューリングする。
【００８０】
実施形態８−３
ＴＤＤシステムの上りリンク・下りリンクに対して６が配置され、ＵＥに短い転送時間間隔（ｓｈｏｒｔ  Ｔｒａｎｓｍｉｓｓｉｏｎ  Ｔｉｍｅ  Ｉｎｔｅｒｖａｌ，ｓｈｏｒｔ  ＴＴＩ）が配置されば、転送の間隔はスロットを単位とし、転送したＰＵＳＣＨはｓｌｏｔ−ＰＵＳＣＨと呼ばれる。全ての上りリンクスロットまたはスペシャルサブフレームは、いずれもスケジューリングされることができるようにサポートされるために、ＵＬ  ｉｎｄｅｘが導入され、２ｂｉｔにおけるＭＳＢとＬＳＢを介してスケジューリングしたＰＵＳＣＨが位置するスロットインデックスをそれぞれ指示する。一実施例において、表１１に示すように、スペシャルサブフレーム配置（Ｓｐｅｃｉａｌ  ｓｕｂｆｒａｍｅ  ｃｏｎｆｉｇｕｒａｔｉｏｎ，ＳＳＣ）が１０である場合、次のようにＵＬ  ｉｎｄｅｘにの２ビット情報を設定することでｓｌｏｔ  ＰＵＳＣＨのスケジューリングが実現される。
【００８１】
スロット２以外の他のスロットについて、
（ＭＳＢ，ＬＳＢ）＝’０１’である場合、スロットｎは、スロットｎ＋ｋ上のＰＵＳＣＨをスケジューリングし、ただし、ｋの値は表１１で示されている。
（ＭＳＢ，ＬＳＢ）＝’１０’である場合、スロットｎは、スロットｎ＋ｋ＋１上のＰＵＳＣＨをスケジューリングし、ただし、ｋの値は表１１で示されている。
（ＭＳＢ，ＬＳＢ）＝’１１’である場合、スロットｎは、スロットｎ＋ｋ上のとスロットｎ＋ｋ＋１上のＰＵＳＣＨをスケジューリングし、ただし、ｋの値は表１１で示されている。
【００８２】
スロット２について、
（ＭＳＢ，ＬＳＢ）＝’０１’である場合、スロットｎは、スロットｎ＋ｋ上のＰＵＳＣＨをスケジューリングし、ただし、ｋの値は表１１で示されている。
（ＭＳＢ，ＬＳＢ）＝’１０’である場合、スロットｎは、スロットｎ＋ｋ＋１上のＰＵＳＣＨをスケジューリングし、ただし、ｋの値は表１１で示されている。
（ＭＳＢ，ＬＳＢ）＝’１１’である場合、スロットｎは、スロットｎ＋ｋ＋５上のＰＵＳＣＨをスケジューリングし、ただし、ｋの値は表１１で示されている。
（ＭＳＢ，ＬＳＢ）＝’００’である場合、スロットｎは、スロットｎ＋ｋ上のとスロットｎ＋ｋ＋１上の及びスロットｎ＋ｋ＋５上のＰＵＳＣＨをスケジューリングし、ただし、ｋの値は表１１で示されている。
【００８３】
【表１１】
2021519034.tif 000013
【００８４】
スロットｎ＝１を例として、説明する。
（ＭＳＢ，ＬＳＢ）＝’０１’である場合、スロットｎ＋５におけるＰＵＳＣＨ、即ち、スロット６におけるＰＵＳＣＨをスケジューリングする。
（ＭＳＢ，ＬＳＢ）＝’１０’である場合、スロットｎ＋５＋１におけるＰＵＳＣＨ、即ち、スロット７におけるＰＵＳＣＨをスケジューリングする。
（ＭＳＢ，ＬＳＢ）＝’１１’である場合、スロットｎ＋５におけるＰＵＳＣＨとスロットｎ＋５＋１におけるＰＵＳＣＨ、即ち、スロット６とスロット７におけるＰＵＳＣＨをスケジューリングする。
【００８５】
本実施形態に記載のスケジューリングのタイミングを特定する方法を介して、全ての下りリンクサブフレーム及びスペシャルサブフレームは、いずれも、２つまたは複数の異なるスロット内のＰＵＳＣＨを柔軟にスケジュールでき、全ての下りリンクスロットとスペシャルサブフレームにおいて下りリンク制御のオーバーヘッドのバランスを取る。
【００８６】
実施例４
本出願の実施例は、コンピュータプログラムが記憶されておる記憶媒体を提供し、前記コンピュータプログラムは、ランニングされると、上述のいずれかの方法実施例におけるステップを実行するように構成されている。
【００８７】
一実施例では、前記記憶媒体は、以下のステップＳ１を実行するためのコンピュータプログラムを記憶するように構成されることができる。
【００８８】
ステップＳ１において、長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信する。そのうち、第１ＴＴＩは、第１転送手段をサポートし、第２ＴＴＩは、第２転送手段と、第３転送手段とをサポートし、第２ＴＴＩの転送手段は、第１ＴＴＩの転送手段に対応する。
【００８９】
一実施例においては、前記記憶媒体は、ＵＳＢ、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、リムーバブルハードディスク、磁気ディスク、又は光ディスク等のコンピュータプログラムを記憶可能な種々の媒体を含んでもよいが、これらに限定されない。
【００９０】
本出願の実施例は、メモリと、プロセッサとを含み、前記メモリにコンピュータプログラムが記憶され、前記プロセッサは、コンピュータプログラムをランニングして、上述のいずれかの方法実施例におけるステップを実行するように構成されている、電子デバイスを提供する。
【００９１】
一実施例では、前記電子デバイスは、前記プロセッサと接続される転送装置と、前記プロセッサと接続される入出力装置をさらに含んでもよい。
【００９２】
一実施例においては、前記プロセッサは、コンピュータプログラムで以下のステップＳ１を実行するように構成されることができる。
【００９３】
ステップＳ１において、長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信する。そのうち、第１ＴＴＩは、第１転送手段をサポートし、第２ＴＴＩは、第２転送手段と、第３転送手段とをサポートし、第２ＴＴＩの転送手段は、第１ＴＴＩの転送手段に対応する。
【００９４】
一実施例では、本実施例における具体的な例は、上述の実施例及び選択可能な実施例に説明された例を参照してもよく、本実施例に繰り返して説明しない。
【００９５】
上記の本出願の各モジュールまたは各ステップは、汎用の演算デバイスで実現され、単一の演算デバイスに集中されていてもよく、または複数の演算デバイスで構成されたネットワークに分布し、一実施例では、演算デバイスに実行可能なプログラムコードによって実現されてもよく、ひいては、それらを記憶する記憶デバイスに算出演算デバイスによって実行されてもよく、ある場合には、ここでの順序とは異なる順序で示された又は説明されたステップが実行されてもよく、または集積回路モジュールとしてそれぞれ作成されてもよく、または、それらのうちの複数のモジュール又はステップは、単一の集積回路モジュールに作成されて実現されてもよいことは、当業者には明らかである。このように、本出願は、任意の特定のハードウェアとソフトウェアとの組み合わせに制限されるものではない。
【図１】
2021519034.tif 000014
【図２】
2021519034.tif 000015
【図３】
2021519034.tif 000016
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
長さが第１転送時間間隔ＴＴＩの物理下りリンク共用チャネルＰＤＳＣＨトラフィックの受信がエラーした後に、長さが第２ＴＴＩのＰＤＳＣＨトラフィックを受信することを含み、
前記第１ＴＴＩは、第１転送手段をサポートし、前記第２ＴＴＩは、第２転送手段及び第３転送手段をサポートし、前記第２ＴＴＩの転送手段は、前記第１ＴＴＩの転送手段に対応する、
情報転送方法。
【請求項２】
前記第２ＴＴＩの転送手段が前記第１ＴＴＩの転送手段に対応することは、
前記第２転送手段は前記第１転送手段に対応することと、
前記第３転送手段は前記第１転送手段に対応することと、
（ｉ）前記第２転送手段及び前記第３転送手段は（ｉｉ）前記第１転送手段に対応することと、
のいずれかを含む、
請求項１に記載の方法。
【請求項３】
前記第１ＴＴＩは、サブスロットと、スロットと、ミニスロットとのいずれかを含み、
前記第２ＴＴＩは、サブフレームと、スロットとのいずれかを含む、
請求項１に記載の方法。
【請求項４】
前記第２ＴＴＩの転送手段が前記第１ＴＴＩの転送手段に対応することは、
サブフレームレベルＴＴＩにおける符号語０はサブスロットレベルＴＴＩにおけるトランスポートブロックに対応すること、を含む、
請求項１に記載の方法。
【請求項５】
前記第２ＴＴＩの転送手段が前記第１ＴＴＩの転送手段に対応することは、
符号語交換マークが０である場合、前記第２転送手段は前記第１転送手段に対応すること、
前記符号語交換マークが１である場合、前記第３転送手段は前記第１転送手段に対応することと、を含む、
請求項１に記載の方法。
【請求項６】
時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートすることを含む、
情報転送方法。
【請求項７】
前記上りリンク・下りリンクサブフレームに６が配置され、かつスペシャルサブフレームに１０が配置される場合、上りリンク許可のスケジューリングのタイミングを以下のようにする、
【表１】
2021519034.tif 000017
請求項６に記載の方法。
【請求項８】
長さが第１転送時間間隔ＴＴＩの物理下りリンク共用チャネルＰＤＳＣＨトラフィックの受信がエラーした後に、長さが第２ＴＴＩの前記ＰＤＳＣＨトラフィックを受信するように構成されている転送モジュールを含み、
前記第１ＴＴＩは、第１転送手段をサポートし、前記第２ＴＴＩは、第２転送手段と、第３転送手段とをサポートし、前記第２ＴＴＩの転送手段は、前記第１ＴＴＩの転送手段に対応する、
情報転送デバイス。
【請求項９】
時分割復信ＴＤＤシステムの上りリンク・下りリンクサブフレームに６が配置され、かつスペシャルサブフレームに１０が配置され、ユーザー装置ＵＥに短い処理遅延時間が配置され、かつ転送時間間隔ＴＴＩの長さが１サブフレームである場合、前記ＵＥの全ての下りリンクサブフレーム及びスペシャルサブフレームは、いずれも、最大２つの異なるサブフレームにおける物理上りリンク共用チャネルＰＵＳＣＨのスケジューリングをサポートするように構成されている配置モジュールを含む、
情報転送デバイス。
【請求項１０】
コンピュータプログラムが記憶される記憶媒体であって、前記コンピュータプログラムは、ランニングされると、請求項１〜７のいずれか１項に記載の方法を実行するように構成されている、記憶媒体。
【請求項１１】
メモリと、プロセッサとを含み、前記メモリにコンピュータプログラムが記憶され、前記プロセッサは、前記コンピュータプログラムをランニングして、請求項１〜７のいずれか１項に記載の方法を実行するように構成されている、電子デバイス。
【国際調査報告】
2021519034.tif 000018
2021519034.tif 000019
2021519034.tif 000020
2021519034.tif 000021